(57)【要約】      （修正有）【課題】使用者の指にフィットして長時間使用しても疲れ難い筆記具を提供する。【解決手段】本体１の一部に、この本体１を把持するための軸グリップ部３を設け、軸体グリップ部３の周面には、弾性素材と吸収性素材で構成した畝状の複数の凸部３１、３１を本体の軸長方向と交わる方向へ延設する。凸部の間隔は１ｍｍ以上１．５ｍｍ以下とした。【選択図】図１
0003160518.tif 000002
【実用新案登録請求の範囲】
【請求項１】
本体の一部に、この本体を把持するための軸体グリップ部を設けた筆記具において、前記軸体グリップ部の周面には、弾性素材と吸収素材で構成した畝状の複数の凸部が前記本体の軸長方向と交わる方向へ延設してあり、各で凸部の間隔は１ｍｍ以上１．５ｍｍ以下としたことを特徴とする筆記具。
【請求項２】
前記各凸の高さは３ｍｍ以下であって互いに不均一にしたことを特徴とする請求項１記載の筆記具。
【請求項３】
前記各凸部の内、適宜の凸部は前記本体の軸長方向に対して傾斜して交わるようにしてあり、他の凸部は前記本体の軸長方向に対して直交するようにしてあることを特徴とする請求項１又は２記載の筆記具。
【請求項４】
前記弾性素材は低反発フォームであり、前記吸収性素材は絹及び／又は綿であり、弾性素材と吸収素材との混合比は６：４から８：２までの適宜の値にしてあることを特徴とする請求項１、２又は３記載の筆記具。
【請求項５】
前記軸体グリップ部の外径は１３ｍｍから１５ｍｍまでの適宜の値にしてあり、前記軸体グリップ部の長さは２０ｍｍから４０ｍｍまでの適宜の値にしてあることを特徴とする請求項１から４のいずれかに記載の筆記具。
【考案の詳細な説明】
【技術分野】
【０００１】
本考案は使用者が把持する軸体グリップ部を備えた筆記具に関する。
【背景技術】
【０００２】
筆記具は、筆記具本体と共に当該筆記具本体に設けられた軸体グリップ部が、陶磁器、ポリウレタン、その他の素材で形成されている。このような筆記具にあっては、その利便性が求められているものの、使用者の身体に与える疲労の影響までも考慮した製品は少ない。例えば、筆記具本体の軸体グリップ部をゴム素材で形成したものが販売されている。
【０００３】
一方後記する特許文献１には、正しく持たなければ文章を書く事が出来ないようになした持ち方矯正筆記具が開示されている。
【０００４】
また後記する特許文献２には、少なくともペン軸本体の把持部または該把持部に取り付けられたグリップに経皮吸収物質が含有されていることを特徴とする筆記具であり、好ましくは、グリップが経皮吸収物質を含有する熱可塑性エラストマー、ゴムまたは、発泡体材料で形成され、ペン軸本体の把持部が経皮吸収物質を含有する熱可塑性エストラマーまたは、ゴム材料で形成されており、タバコをやめたい人やタバコ・禁煙ガムを使えない場所にいる喫煙者が使用できる筆記具で、いつでもどこでも使用でき、会議室や接客中などタバコを吸いたくても吸えないとき、禁煙ガムを使用できないときでも使用できる喫煙抑制効果のある筆記具が開示されている。
【先行技術文献】
【特許文献】
【０００５】
【特許文献１】実用新案登録願第３１４８０９８号公報
【特許文献２】特開２００９−５６７６３号公報
【考案の概要】
【考案が解決しようとする課題】
【０００６】
文字を書かなければ人間の思考力は衰退すると云う。パーソナルコンピュータを使用するよりも実際に書くと云う作業にあっては、本人がイメージの広がりを得る事が出来ると共に、対象を刺激的に見つめ直すことが出来る。しかしながら、現代社会にあっては、文章を作成する際多くの場合にパーソナルコンピュータ、携帯電話機等の器具を使用しており、実際に書くと云うことへの隔たりが感じられる。
【０００７】
一方で、従来の筆記具では、手が疲れて、長時間書き続けると云う事が困難であるため、字を書くという楽しみが損なわれていた。また、子どもにあっては、文字の書き方、誤字等が社会問題にもなっており、実際に文字を書くと云うことの重要さが叫ばれている。
【０００８】
そこで、使用者の指にフィットして長時間使用しても疲れ難い筆記具を提供する。
【課題を解決するための手段】
【０００９】
（１）本考案の筆記具は、本体の一部に、この本体を把持するための軸体グリップ部を設けた筆記具において、前記軸体グリップ部の周面には、弾性素材と吸収性素材で構成した畝上の複数の凸部が前記本体の軸長方向と交わる方向へ延設してあり、各凸部の間隔は１ｍｍ以上１．５ｍｍ以下としたことを特徴とする。
【００１０】
筆記具の本体に設けた軸体グリップ部には畝状の複数の凸部が前記本体の軸長方向と交わる方向へ延設してあり、使用者は適宜の凸部に指がひっかかり筆記する。各凸部は弾性素材と吸収素材とで構成してあり、使用者の指先への衝撃を軽減して指先の疲れを防止する事が出来る。更に使用者の指先の汗を吸収して滑りを防ぐ事が出来るため、指先に不要な力を入れる必要がなく、指先の疲れがより防止される。
【００１１】
かかる弾性材としては低反発弾性フォームを用いることが出来る。また、吸収性素材としては植物繊維を使用する事出来る。
【００１２】
また、各凸部間隔を１ｍｍ以上１．５ｍｍ以下とすることによって、さまざまな年令性別の使用者にも対応することが出来る。
【００１３】
（２）また、本考案の筆記具は、前記各凸部の高さは３ｍｍ以下であって互いに不均一にしたことを特徴とする。
【００１４】
使用者によって指のひっかかりが異なるので、それに対応して各凸部の高さが不均一にしてあり、これによってどのような使用者も確実に使用する事が出来る。
【００１５】
ここで、各凸部の高さが３ｍｍを超えると筆記時に指の感覚が筆記具の先端に伝わり難くなり、記載した文字が乱れやすくなる。これに対し、各凸部の高さが３ｍｍ以下の場合はそのような問題は発生しない。
【００１６】
（３）さらに、本考案の筆記具は、前記各凸部内適宜の凸部は前記本体の軸長方向に対して傾斜して交わるようにしてあり、他の凸部は前記本体の軸長方向に対し直交するようにしてある事を特徴とする。
【００１７】
軸体グリップ部を持った使用者の人差し指及び親指を本体の軸長方向に対して直交するようにした凸部に引っかけ、中指を本体の軸長方向に対して傾斜して交わるようにした凸部に引っかける。後者の凸部の傾斜角度は本体の中心軸に対して５°程度が良く、これによって中指に対する当該凸部の当り具合が楽でかすかに刺激的で長時間筆記しても疲れ難くなる。つまり脳に刺激を与えながら書く方が長時間の筆記作業に耐えられる。
【００１８】
更に、各凸部の高さが不均一であるので、使用者は自分に適した高さの凸部に人差し指、親指、及び中指を合わせる事が。出来る
【００１９】
（４）また、本考案の筆記具は、前記弾性素材は低反発弾性フォームであり、前記吸収性素材は絹及び／又は綿である。弾性素材と吸収素材との混合比は６：４から８：２までの適宜の値にしてある事を特徴とする。
【００２０】
弾性素材を低反発弾性フォームとし、吸収性素材として絹及び／又は綿とする。そして、弾性素材と吸収素材との混合比は、３：７が最適であるが、６：４以上８：２以下の範囲とする事が出来る。つまり、この割合がかすかな刺激を生むのである。
【００２１】
このような混合比とすることによって、筆記時の指の疲れを軽減するとともに、指先の汗を吸収して滑りを防ぐことが出来るため、指先に不要な力を入れる必要がなくなり、指先の疲れがより防止される。
【００２２】
（５）さらに、本考案の筆記具は、前記軸体グリップ部の外径は１３ｍｍから１５ｍｍまでの適宜の値にしてあり、前記軸体の長さは２０ｍｍから４０ｍｍまでの適宜の値にしてあることを特徴とする。
【００２３】
本体の他の部分の外径寸法に拘わらず、軸体グリップの外径１３ｍｍから１５ｍｍの範囲にする事によって、男性用又は女性用の筆記具の寸法に拘わらず、使用者の指にフィットさせることが出来る。
【００２４】
また軸体グリップ部の長さを２０ｍｍから４０ｍｍにする事によって、さまざまな使用者に対応することが出来る。
【図面の簡単な説明】
【００２５】
【図１】本考案に係る筆記具の一例を示す模式的側面図である。
【図２】図１に示した筆記具の反対側の模式的側面図である。
【図３】図２に示した筆記具の模式的部分従断面図である。
【考案を実施するための形態】
【００２６】
図１は本考案に係る筆記具の一例を示す模式的側面図であり、図２は図１に示した筆記具の反対側の模式的側面図である。また、図３は図２に示した筆記具の模式的部分従断面図である。本実施の形態では後述するようにノック式のボールペンについて示したが、本考案はこれに限られるものではなく、万年筆またはシャープペンシル等であってもよく、または本体とキャップが分離可能な、所謂キャップ式の筆記具にも適用出来る。
【００２７】
図１及び図２に記載したように、筆記具は適宜長さになした筒状の軸体２の一端側に錐形の先端部４が設けてある本体１を備えている。軸体２の内部にはインクが充填された芯部材が収納されており、該芯部材のペン先部５が前記先端部４から退出可能に突出している。また、軸体２の他端側には前記ペン先５退出させるためのヘッド部６が進退可能に設けてあり、該ヘッド部６にはグリップ部７が軸体２と略平行に延設してある。これら軸体２、先端部４、ヘッド部６及びペン先部５などによって本体１が構成されている。
【００２８】
前述した軸体２の先端部４に接する位置からヘッド部６側の所定領域は後述する軸体グリップ部３になしてあり、使用者は軸体グリップ３を把持して筆記具を使用するようになっている。
【００２９】
この軸体グリップ部３の外径は１３ｍｍから１５ｍｍまでの適宜値にしてあり、これによって男性用又は女性用の筆記具の寸法に拘わらず、使用者の指にフィットさせることが出来るようになっている。また軸体グリップ部３の長さは２０ｍｍから４０ｍｍまでの適宜の値にしてあり、さまざまな使用者にも対応出来るようになっている。
【００３０】
一方、図１に示したように、軸体グリップ部３の周方向であって周方向の略半分の領域には、畝状の複数の第１凸部３１、３１、・・・が前記本体の１の軸長方向と斜めに交わるように形成してある。各第１凸部３１、３１、・・・の間隔は１ｍｍ以上１．５ｍｍ以下の寸法にしてある。また各第１凸部３１、３１、・・・の高さは３ｍｍ以下であって互いに不均一にしてある。
【００３１】
各第１凸部３１、３１、・・・の間隔を１ｍｍ以上１．５ｍｍ以下とすることによって、さまざまな年令性別の使用者にも対応することが出来るようになっている。一方使用者によって指の引っかかりが異なるので、それに対応して各第１凸部３１、３１、・・・の高さが不均一にしてあり、これによってどのような使用者も確実に使用する事が出来る。
【００３２】
また、図２に示したように、軸体グリップ部３の周面であって周方向の他の半分の領域には、畝状の複数の第２凸部３２、３２、・・・が前記本体１の軸長方向と直交するように形成してある。第１凸部３１、３１、・・・と同様各第２凸部３２、３２、・・・の間隔は１ｍｍ以上１．５ｍｍ以下の適宜の寸法にしてあり、各第２凸部３２、３２、・・・の高さは３ｍｍ以下であって互いに不均一にしてある。
【００３３】
軸体グリップ部３を持った使用人は、人差し指及び親指を適宜の第２凸部３２、３２、・・・に引っかけ、中指を第１凸部３１に引っかける。前述したように第１凸部３１、３１、・・・は本体１の軸長方向と斜めに交わるように形成してあるため、中指に対する当該第１凸部３１の当り具合が楽になり、長時間筆記しても疲れ難くなる。
【００３４】
ここで、第１凸部３１、３１、・・・の傾斜角度は本体の中心軸に対して３°程度から５°程度が最良である。なお、第１凸部３１、３１、・・・の傾斜の向きは右手用、左手用に応じて適宜定めればよく、図１に示した第１凸部３１、３１、・・・の向きと逆向きであって良い。
【００３５】
かかる第１凸部３１、３１、・・・及び第２凸部３２、３２、・・・は、弾性素材と吸収素材とを混合させて構成してある。弾性素材としては低反発フォームを用いることが出来、また吸収性素材としては、植物繊維を使用することが出来る。
【００３６】
ここで、低反発フォームとは、バネのような弾性と粘土やガムのような粘性を併せ持つフォームである。低反発フォームと言われる軟質ウレタンフォームに属し、弾性を抑えて粘性を向上させたフォームである。かかる低反発性弾性フォームは、感温性、衝撃吸収性、体圧分散性を有するほか、制振性、吸音性、断熱性、復元性も有している。
【００３７】
なお、感温性とは、温度が高くなると柔らかくなり、低くなると硬さを増す性質をいう。従って、第１凸部３１、３１、・・・及び第２凸部３２、３２、・・・は使用者の体温によって柔らかくなり、使用者の指にフィットする。
【００３８】
また、第１凸部３１、３１、・・・及び第２凸部３２、３２、・・・は体圧分散性を有するため、荷重が分散されて血流阻害が防止される。
【００３９】
かかる低反発弾性フォームの規格にはスラブ品とモールド品がある。スラブ品の場合色々な形状に切り出せる。一方、モールド品の場合、枕又はマット（寝具）等の成型品に適している。前述した第１凸部３１、３１、・・・の素材としてはスラブ品が適している。
【００４０】
一方、前述した植物性繊維としては、吸収性、柔軟性及び肌触りに起こるかすかな刺激が良好に働き、絹及び／又は綿が適している。
【００４１】
このような弾性素材と吸収素材との混合比は７：３が最良であるが、６：４以上８：２以下の範囲とすることが出来る。かかる混合比とすることによって軸体グリップ部は前述した低反発弾性フォームの特徴を損なうことなく、良好な吸収性を呈することができる。
【００４２】
一方、弾性素材と吸収素材との混合比が６：４未満の場合は、低反発弾性フォームの特性が損なわれてしまうという不都合が生じ、弾性素材と吸収素材との混合比が８：２を超えた場合は所要の吸収性を得ることが出来ず、汗による指先の滑りを防止するために不要な力を要して疲労を招来する。
【００４３】
以上述べたことより、本考案の筆記具にあっては、指間に生じるペンダコと云う苦痛も解消し得る。
【符号の説明】
【００４４】
１        本体
２        軸体
３        軸体グリップ部
４        先端部
５        ペン先部
６        ヘッド部
３１      第１凸部
３２      第２凸部
【図１】
0003160518.tif 000003
【図２】
0003160518.tif 000004
【図３】
0003160518.tif 000005
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
本体の一部に、この本体を把持するための軸体グリップ部を設けた筆記具において、
前記軸体グリップ部の周面には、弾性素材と吸収性素材で構成した畝状の複数の凸部が前記本体の軸長方向と交わる方向へ延設してあり、各凸部の間隔は１ｍｍ以上１．５ｍｍ以下としたことを特徴とする筆記具。
【請求項２】
前記各凸部の高さは３ｍｍ以下であって互いに不均一にしたことを特徴とする請求項１記載の筆記具。
【請求項３】
前記各凸部の内、適宜の凸部は前記本体の軸長方向に対して傾斜して交わるようにしてあり、他の凸部は前記本体の軸長方向に対して直交するようにしてあることを特徴とする請求項１又は２記載の筆記具。
【請求項４】
前記弾性素材は低反発弾性フォームであり、前記吸収性素材は絹及び／又は綿であり、弾性素材と吸収性素材との混合比は６：４から８：２までの適宜の値にしてあることを特徴とする請求項１、２又は３記載の筆記具。
【請求項５】
前記軸体グリップ部の外径は１３ｍｍから１５ｍｍまでの適宜の値にしてあり、前記軸体グリップ部の長さは２０ｍｍから４０ｍｍまでの適宜の値にしてあることを特徴とする請求項１から４のいずれかに記載の筆記具。
【手続補正２】
【補正対象書類名】明細書
【補正対象項目名】０００９
【補正方法】変更
【補正の内容】
【０００９】
（１）本考案の筆記具は、本体の一部に、この本体を把持するための軸体グリップ部を設けた筆記具において、前記軸体グリップ部の周面には、弾性素材と吸収性素材で構成した畝状の複数の凸部が前記本体の軸長方向と交わる方向へ延設してあり、各凸部の間隔は１ｍｍ以上１．５ｍｍ以下としたことを特徴とする。
【手続補正３】
【補正対象書類名】明細書
【補正対象項目名】００１０
【補正方法】変更
【補正の内容】
【００１０】
筆記具の本体に設けた軸体グリップ部には畝状の複数の凸部が前記本体の軸長方向と交わる方向へ延設してあり、使用者は適宜の凸部に指がひっかかり筆記する。各凸部は弾性素材と吸収性素材とで構成してあり、使用者の指先への衝突を軽減して指先の疲れを防止する事が出来る。更に使用者の指先の汗を吸収して滑りを防ぐ事が出来るため、指先に不要な力を入れる必要がなく、指先の疲れがより防止される。
【手続補正４】
【補正対象書類名】明細書
【補正対象項目名】００１８
【補正方法】変更
【補正の内容】
【００１８】
更に、各凸部の高さが不均一であるので、使用者は自分に適した高さの凸部に人差し指、親指、及び中指を合わせる事が出来る。
【手続補正５】
【補正対象書類名】明細書
【補正対象項目名】００２０
【補正方法】変更
【補正の内容】
【００２０】
弾性素材を低反発弾性フォームとし、吸収性素材として絹及び／又は綿とする。そして、弾性素材と吸収性素材との混合比は、７：３が最適であるが、６：４以上８：２以下の範囲とする事が出来る。つまり、この割合がかすかな刺激を生むのである。
【手続補正６】
【補正対象書類名】明細書
【補正対象項目名】００２７
【補正方法】変更
【補正の内容】
【００２７】
図１及び図２に記載したように、筆記具は適宜長さになした筒状の軸体２の一端側に錐形の先端部４が設けてある本体１を備えている。軸体２の内部にはインクが充填された芯部材が収納されており、該芯部材のペン先部５が前記先端部４から退出可能に突出している。また、軸体２の他端側には前記ペン先部５を退出させるためのヘッド部６が進退可能に設けてあり、該ヘッド部６にはグリップ部７が軸体２と略平行に延設してある。これら軸体２、先端部４、ヘッド部６及びペン先部５などによって本体１が構成されている。
【手続補正７】
【補正対象書類名】明細書
【補正対象項目名】００２８
【補正方法】変更
【補正の内容】
【００２８】
前述した軸体２の先端部４に接する位置からヘッド部６側の所定領域は後述する軸体グリップ部３になしてあり、使用者は軸体グリップ部３を把持して筆記具を使用するようになっている。
【手続補正８】
【補正対象書類名】明細書
【補正対象項目名】００３０
【補正方法】変更
【補正の内容】
【００３０】
一方、図１に示したように、軸体グリップ部３の周面であって周方向の略半分の領域には、畝状の複数の第１凸部３１、３１、・・・が前記本体１の軸長方向と斜めに交わるように形成してある。各第１凸部３１、３１、・・・の間隔は１ｍｍ以上１．５ｍｍ以下の寸法にしてある。また各第１凸部３１、３１、・・・の高さは３ｍｍ以下であって互いに不均一にしてある。
【手続補正９】
【補正対象書類名】明細書
【補正対象項目名】００３５
【補正方法】変更
【補正の内容】
【００３５】
かかる第１凸部３１、３１、・・・及び第２凸部３２、３２、・・・は、弾性素材と吸収性素材とを混合させて構成してある。弾性素材としては低反発弾性フォームを用いることが出来、また吸収性素材としては、植物繊維を使用することが出来る。
【手続補正１０】
【補正対象書類名】明細書
【補正対象項目名】００３６
【補正方法】変更
【補正の内容】
【００３６】
ここで、低反発弾性フォームとは、バネのような弾性と粘土やガムのような粘性を併せ持つフォームである。低反発フォームと言われる軟質ウレタンフォームに属し、弾性を抑えて粘性を向上させたフォームである。かかる低反発弾性フォームは、感温性、衝撃吸収性、体圧分散性を有するほか、制振性、吸音性、断熱性、復元性も有している。
【手続補正１１】
【補正対象書類名】明細書
【補正対象項目名】００４１
【補正方法】変更
【補正の内容】
【００４１】
このような弾性素材と吸収性素材との混合比は７：３が最良であるが、６：４以上８：２以下の範囲とすることが出来る。かかる混合比とすることによって軸体グリップ部３は前述した低反発弾性フォームの特徴を損なうことなく、良好な吸収性を呈することができる。
【手続補正１２】
【補正対象書類名】明細書
【補正対象項目名】００４２
【補正方法】変更
【補正の内容】
【００４２】
一方、弾性素材と吸収性素材との混合比が６：４未満の場合は、低反発弾性フォームの特性が損なわれてしまうという不都合が生じ、弾性素材と吸収性素材との混合比が８：２を超えた場合は所要の吸収性を得ることが出来ず、汗による指先の滑りを防止するために必要な力を要して疲労を招来する。